(57)【要約】【課題】蓋部の開閉に際し、蓋部と包装体との間に隙間が生じるのを防止すること。【解決手段】ウェットシート包装体１００によれば、蓋部２０は、開口部１１を覆う天面部２１と、天面部２１と本体部１０とを連結する、一辺が開口した平面視コの字状の連結部２２と、天面部２１において、連結部２２の開口した一辺に延在して設けられ、天面部２１を本体部１０に対して剥離及び再接着可能とする開封部２５と、を備え、連結部２２は、開口部１１を挟んで対向するよう配置され、蓋部２０の開閉動作に応じて伸縮自在な一対の伸縮部２４，２４と、一対の伸縮部２４，２４の一端部において当該一対の伸縮部２４，２４と直交する方向に延在し、天面部２１と本体部１０とを固定する固定部２３と、を備えている。【選択図】図４
2015009869.tif 000002
【特許請求の範囲】
【請求項１】
積層された状態のウェットシートを収納し、開口部を有する袋状の本体部と、前記開口部を開閉する蓋部とを有し、前記開口部からウェットシートを１枚ずつ取り出して使用するウェットシート包装体であって、
前記蓋部は、
前記開口部を覆う天面部と、
前記天面部と前記本体部とを連結する、一辺が開口した平面視コの字状の連結部と、
前記天面部において、前記連結部の開口した前記一辺に延在して設けられ、前記天面部を前記本体部に対して剥離及び再接着可能とする開封部と、を備え、
前記連結部は、
前記開口部を挟んで対向するよう配置され、前記蓋部の開閉動作に応じて伸縮自在な一対の伸縮部と、
前記一対の伸縮部の一端部において当該一対の伸縮部と直交する方向に延在し、前記天面部と前記本体部とを固定する固定部と、を備えることを特徴とするウェットシート包装体。
【請求項２】
前記一対の伸縮部の各々は、蛇腹状に折り曲げられた一枚のシート材を備え、
前記シート材は、前記蓋部の閉状態において縮められ、前記蓋部の開状態において引き伸ばされることを特徴とする請求項１に記載のウェットシート包装体。
【請求項３】
前記一対の伸縮部の各々は、内側に向けて凹むように２つに折り曲げられた一枚のシート材を備え、
前記シート材は、前記蓋部の閉状態において折り曲げられて交互に積層され、前記蓋部の開状態において広げられることを特徴とする請求項１に記載のウェットシート包装体。
【請求項４】
前記シート材は、平面視において前記固定部側から前記開封部側にいくにつれて幅が広くなることを特徴とする請求項３に記載のウェットシート包装体。
【請求項５】
前記開封部の両側部は、前記一対の伸縮部の両側部より外側に突出していることを特徴とする請求項１〜４の何れか一項に記載のウェットシート包装体。
【発明の詳細な説明】
【技術分野】
【０００１】
本発明は、ウェットシート包装体に関する。
【背景技術】
【０００２】
従来、水分、アルコールや液体の薬剤を含有させたウェットティシューなどのウェットシートを収納するためのウェットシート包装体が知られている。一般に、ウェットシート包装体は、柔軟で気密性のある袋状の本体部と、繰り返し剥離及び接着の可能な蓋部とを備え、本体部に取出口として形成された開口部の周縁に、当該開口部を塞ぐように蓋部を接着させて開閉可能とする構成である。
【０００３】
上記のようなウェットシート包装体として、例えば、特許文献１には、本体部の上面部における取出口の近傍位置であって蓋部先端部が接着される部位に、蓋部の幅方向に向け、取出口の開口幅より長い範囲に亘って剛性の高い熱硬化部を備えることにより、本体部の取出口付近を平面状態に維持し、蓋部と本体部の間の隙間を生じづらくさせた構成が提案されている。
【先行技術文献】
【特許文献】
【０００４】
【特許文献１】特開２０１０−１７３６４９号公報
【発明の概要】
【発明が解決しようとする課題】
【０００５】
しかしながら、上記特許文献１の構成は、蓋部の裏面に、取出口の周縁全体に対向するよう接着剤が設けられ、蓋部の開閉において、取出口の周縁全体に亘って接着剤の剥離及び再接着をくり返す構成であった。このため、蓋部を再接着する際に包装袋と蓋部との間に隙間が生じ易く、内部のウェットシートが乾燥し易いという問題があった。
【０００６】
本発明の目的は、蓋部の開閉に際し、蓋部と本体部の間に隙間が生じるのを防止することのできるウェットシート包装体を提供することである。
【課題を解決するための手段】
【０００７】
以上の課題を解決するため、
請求項１に記載の発明は、
積層された状態のウェットシートを収納し、開口部を有する袋状の本体部と、前記開口部を開閉する蓋部とを有し、前記開口部からウェットシートを１枚ずつ取り出して使用するウェットシート包装体であって、
前記蓋部は、
前記開口部を覆う天面部と、
前記天面部と前記本体部とを連結する、一辺が開口した平面視コの字状の連結部と、
前記天面部において、前記連結部の開口した前記一辺に延在して設けられ、前記天面部を前記本体部に対して剥離及び再接着可能とする開封部と、を備え、
前記連結部は、
前記開口部を挟んで対向するよう配置され、前記蓋部の開閉動作に応じて伸縮自在な一対の伸縮部と、
前記一対の伸縮部の一端部において当該一対の伸縮部と直交する方向に延在し、前記天面部と前記本体部とを固定する固定部と、を備えることを特徴とする。
【０００８】
また、請求項２に記載の発明は、請求項１に記載のウェットシート包装体において、
前記一対の伸縮部の各々は、蛇腹状に折り曲げられた一枚のシート材を備え、
前記シート材は、前記蓋部の閉状態において縮められ、前記蓋部の開状態において引き伸ばされることを特徴とする。
【０００９】
また、請求項３に記載の発明は、請求項１に記載のウェットシート包装体において、
前記一対の伸縮部の各々は、内側に向けて凹むように２つに折り曲げられた一枚のシート材を備え、
前記シート材は、前記蓋部の閉状態において折り曲げられて交互に積層され、前記蓋部の開状態において広げられることを特徴とする。
【００１０】
また、請求項４に記載の発明は、請求項３に記載のウェットシート包装体において、
前記シート材は、平面視において前記固定部側から前記開封部側にいくにつれて幅が広くなることを特徴とする。
【００１１】
また、請求項５に記載の発明は、請求項１〜４の何れか一項に記載のウェットシート包装体において、
前記開封部の両側部は、前記一対の伸縮部の両側部より外側に突出していることを特徴とする。
【発明の効果】
【００１２】
本発明によれば、蓋部の開閉に際し、蓋部と本体部の間に隙間が生じるのを防止することができる。よって、内部のウェットシートが乾燥するのを防止することができる。
【図面の簡単な説明】
【００１３】
【図１】第１実施形態のウェットシート包装体の閉状態の外観斜視図である。
【図２】図１のウェットシート包装体の上面図である。
【図３】図２のIII−III線における蓋部の断面図である。
【図４】図１のウェットシート包装体の開状態の外観斜視図である。
【図５】図１のウェットシート包装体の変形例を示す上面図である。
【図６】第２実施形態のウェットシート包装体の上面図である。
【図７】図６のVII−VII線における蓋部の断面図である。
【図８】図６のウェットシート包装体の開状態の外観斜視図である。
【発明を実施するための形態】
【００１４】
[第１実施形態]
以下、本発明の第１の実施の形態を、図１〜図４を参照しながら詳細に説明する。
【００１５】
本実施形態に係るウェットシート包装体１００は、図１に示すように、開口部１１を有する袋状の本体部１０と、開口部１１を開閉するための蓋部２０と、を備えて構成される。
ウェットシート包装体１００の内部には、ウェットシート１が複数枚積層された状態で収納され、このウェットシート１は、開口部１１から１枚ずつ取り出されて使用される。
以下の説明では、本体部１０において、開口部１１が形成された面を上面とし、開口部１１が形成された面と反対側の面を底面とする。
【００１６】
本体部１０は、例えば、気密性を有する柔軟なシートにより構成されている。
本体部１０の材質としては、例えば、ポリエチレン、ポリプロピレン、ポリエチレンテレフタレート、ポリエステル、ポリアミド、ポリ塩化ビニル等の合成樹脂シートの単材又は複合材、或いはこれら合成樹脂シートとアルミフォイル、紙等を張り合わせた複合シート等を使用することができる。
【００１７】
本体部１０は、その底面（図示省略）においてシートの両側部が長手方向に沿って接合されており、長手方向の両端部において対向する面同士が接合されて、略直方体の袋状となっている。
【００１８】
本体部１０の上面には、楕円形の開口部１１が形成されている。開口部１１は、本体部１０の内部に収納されたウェットシート１を取り出すための取出口である。開口部１１の形状はウェットシート１を取り出すことのできものであれば特に限定されず、楕円形以外にも、円形、方形、方形の角を丸めた形状など任意の形状とすることができる。
【００１９】
蓋部２０は、図２に示すように、例えば、開口部１１を覆う天面部２１と、天面部２１と本体部１０とを連結する平面視コの字状の連結部２２と、天面部２１を本体部１０に対して剥離及び再接着可能とする開封部２５と、蓋部２０を開ける際に利用者が摘むための摘み部２６と、を備えて構成されている。
【００２０】
天面部２１は、例えば、本体部１０のシートとは別体のシート片からなり、開口部１１を完全に被覆可能な大きさの略長方形状に形成されている。
天面部２１の材質としては、例えば、ポリエチレン、ポリプロピレン、ポリエチレンテレフタレート、ポリエステル、ポリアミド、ポリ塩化ビニル等の合成樹脂シートの単材又は複合材、或いはこれら合成樹脂シートとアルミフォイル、紙等を張り合わせた複合シート等を使用することができる。
【００２１】
連結部２２は、天面部２１の短手方向に延在する一辺と、当該一辺の両端部から天面部２１の長手方向にそれぞれ延出する平行な二辺とを備え、前記一辺と対向する一辺が開口した平面視コの字状に形成されている。
具体的に、連結部２２は、天面部２１の短手方向に延在する固定部２３と、天面部２１の長手方向に延在する平行な一対の伸縮部２４，２４と、を備えて構成されている。
【００２２】
固定部２３は、天面部２１の裏面の長手方向一端部において当該天面部２１の短手方向に延在する接着剤が塗布された領域からなる。固定部２３を介して天面部２１と本体部１０とが完全には分離されないように固定されている。なお、天面部２１と本体部１０とを固定可能なものであれば、固定部２３に用いられる接着剤の種類に特に限定はない。
【００２３】
一対の伸縮部２４，２４は、天面部２１の裏面において開口部１１を挟んで対向し、当該天面部２１の長手方向に延在するよう設けられている。
一対の伸縮部２４，２４は、図３、４に示すように、蓋部２０の開閉動作に応じて伸縮自在となっている。
一対の伸縮部２４，２４の各々は、例えば、一枚の矩形状のシート材を蛇腹状に折り曲げることで形成されたものである。
シート材の材質としては、本体部１０や蓋部２０の天面部２１と同様に、ポリエチレン、ポリプロピレン、ポリエチレンテレフタレート、ポリエステル、ポリアミド、ポリ塩化ビニル等の合成樹脂シートの単材又は複合材、或いはこれら合成樹脂シートとアルミフォイル、紙等を張り合わせた複合シート等を使用することができる。
【００２４】
シート材の折り曲げ回数としては２回以上の所定回数であり、折り曲げにより形成された下縁部及び上縁部が、それぞれ本体部１０及び蓋部２０と接着されて連結されている。
シート材は、蓋部２０の閉状態においては、天面部２１及び本体部１０に挟まれることで縮められた状態となっている。
また、蓋部２０の開状態においては、天面部２１及び本体部１０との間隔に応じた幅に引き伸ばされた状態となる。即ち、一対の伸縮部２４，２４の一端部には固定部２３が配されて天面部２１と本体部１０とが固定されているため、一対の伸縮部２４，２４は、固定されていない他端部側が最も大きく引き伸ばされ、固定部２３に近づくにつれてその引き伸ばされる幅が小さくなる。
【００２５】
開封部２５は、天面部２１の裏面の長手方向他端部において当該天面部２１の短手方向に延在する感圧接着剤が塗布された領域からなる。感圧接着剤としては、例えば、ポリエステル系、アクリル系、ゴム系等の感圧接着剤が用いられる。開封部２５は、使用者により所定の引っ張り力が加えられた際に本体部１０から剥離すると共に、本体部１０に再度当接した際に本体部１０と再接着する。
【００２６】
摘み部２６は、開封部２５よりも天面部２１の長手方向外側に突出するよう設けられている。摘み部２６の下面には感圧接着剤は塗布されておらず、使用者が摘むことができるようになっている。摘み部２６の形状は、使用者が摘み易い形状であれば特に限定されるものではないが、本体部１０からわずかに浮かび上がった形状とすると、より摘み易い摘み部とすることができる。
【００２７】
上記した連結部２２（固定部２３、一対の伸縮部２４，２４）及び開封部２５は、蓋部２０の閉状態において開口部１１を隙間なく囲うよう天面部２１の裏面に連続して設けられており、このため、蓋部２０が閉状態の際に、気密性が保たれるようになっている。
【００２８】
ウェットシート１は、上記の本体部１０の内部に、複数枚が積層された状態で収納されている。なお、ウェットシート１を積層する枚数としては、１０〜１００枚程度であることが好ましい。ウェットシート１は、所定の繊維を繊維素材として、例えば、スパンレース、エアスルー、エアレイド、ポイントボンド、スパンボンド、ニードルパンチ等の周知の技術により製造される不織布である。所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維が挙げられる。これらは単独で、或いは２種以上を組み合わせて使用することができる。
【００２９】
次に、本実施形態に係るウェットシート包装体１００の使用方法について説明する。
先ず、使用者は、蓋部２０の摘み部２６を摘みながら開封部２５を本体部１０から剥離しつつ、天面部２１を上方に持ち上げる。すると、これに伴って、縮んだ状態であった一対の伸縮部２４，２４が引き伸ばされ、図４に示すように、天面部２１と引き伸ばされた状態の一対の伸縮部２４，２４とにより空間Ｐが形成され、本体部１０の上面の開口部１１が表出した開状態となる。
次に、使用者は、空間Ｐの内部に手指を入れ、開口部１１を介して、ウェットシート１を摘みながら引き出すことによりウェットシート１を取り出す。
次に、使用者は、蓋部２０の摘み部２６近傍を本体部１０に向けて押しつけ、開封部２５を、再度、本体部１０に接着させる。すると、これに伴って、引き伸ばされた状態であった一対の伸縮部２４，２４が再度縮んで空間Ｐが潰れ、本体部１０の上面の開口部１１が天面部２１により覆われた閉状態に戻る。
【００３０】
以上のように、本実施形態のウェットシート包装体１００によれば、蓋部２０は、開口部１１を覆う天面部２１と、天面部２１と本体部１０とを連結する、一辺が開口した平面視コの字状の連結部２２と、天面部２１において、連結部２２の開口した一辺に延在して設けられ、天面部２１を本体部１０に対して剥離及び再接着可能とする開封部２５と、を備え、連結部２２は、開口部１１を挟んで対向するよう配置され、蓋部２０の開閉動作に応じて伸縮自在な一対の伸縮部２４，２４と、一対の伸縮部２４，２４の一端部において当該一対の伸縮部２４，２４と直交する方向に延在し、天面部２１と本体部１０とを固定する固定部２３と、を備えている。
このため、蓋部２０の開閉動作において剥離及び再接着させる開封部２５が、蓋部２０の一方の端部のみに設けられた構成となって、開口部１１の周縁全体に亘って感圧接着剤を備えた構成と比較して、再接着させる領域の面積を小さくできるので、蓋部２０の天面部２１と、本体部１０との間に隙間が生じるのを防止することができる。よって、内部のウェットシート１が乾燥するのを防止することができる。
また、再接着させる領域の面積が小さいため、開閉作業が容易になる。
また、蓋部２０を開状態とした場合に、天面部２１及び一対の伸縮部２４，２４にて空間Ｐが形成され、蓋部２０を閉状態とした場合に、空間Ｐが潰れる構成であるので、ウェットシート１を取り出した際に、次のウェットシート１が開口部１１から飛び出していたとしても、空間Ｐが潰れる際に飛び出したウェットシート１を押さえつつ蓋部２０を閉めることができる。よって、飛び出したウェットシート１を手指で開口部１１に押し込むことなく蓋部２０を閉状態とすることができるので、衛生的である。
【００３１】
また、本実施形態によれば、一対の伸縮部２４，２４の各々は、蛇腹状に折り曲げられた一枚のシート材を備え、シート材は、蓋部２０の閉状態において縮められ、蓋部２０の開状態において引き伸ばされる。
このため、蛇腹状のシート材の折り曲げ回数を容易に変更することができ、よって、蓋部２０を開状態とした際に形成される空間Ｐの大きさを所望の大きさに容易に変更することができる。
【００３２】
なお、図５に示すように、開封部２５の両側部が、一対の伸縮部２４，２４の両側部より外側に突出している構成とすることもできる。
このように構成した場合、一対の伸縮部２４，２４のシート材の折り曲げにより厚みが増し、開封部２５を再接着し難くなった場合にも、開封部２５を本体部１０に確実に再接着することができ、内部のウェットシート１が乾燥するのをより確実に防止することができる。
【００３３】
また、上記実施形態においては、固定部２３を天面部２１の短手方向に沿うよう設け、一対の伸縮部２４，２４を天面部２１の長手方向に沿うように設けた構成を例示して説明したが、固定部２３を天面部２１の長手方向に沿うよう設け、一対の伸縮部２４，２４を天面部２１の短手方向に沿うように設けた構成であっても良い。
【００３４】
[第２実施形態]
次に、本発明の第２の実施の形態を、図６〜図８を参照しながら詳細に説明する。
なお、第１実施形態と同一の構成に関しては、同一の符号を付してその説明を省略する。
【００３５】
本実施形態に係るウェットシート包装体１００Ａは、開口部１１を有する袋状の本体部１０と、開口部１１を開閉するための蓋部２０Ａと、を備えて構成される。
なお、ウェットシート包装体１００Ａの閉状態の外観は、蓋部２０Ａの形状が異なる以外は、図１に示した第１実施形態のウェットシート包装体１００と同様である。
【００３６】
蓋部２０Ａは、図６に示すように、例えば、天面部２１Ａ、連結部２２Ａ、開封部２５、及び摘み部２６を備えて構成されている。
【００３７】
天面部２１Ａは、開口部１１を完全に被覆可能な大きさであって、一端部が直線状で、他端部が一端部より幅広で且つ外側に向かって突出した曲線状に形成されている。なお、天面部２１Ａの材質は、第１実施形態の天面部２１と同様である。
【００３８】
連結部２２Ａは、第１実施形態の連結部２２と同様に平面視コの字状に形成され、具体的には、天面部２１Ａの短手方向に延在する固定部２３と、天面部２１Ａの長手方向に延在する平行な一対の伸縮部２７，２７と、を備えている。
【００３９】
一対の伸縮部２７，２７の各々は、図７、８に示すように、例えば、一枚のシート材を内側に向けて凹むように２つに折り曲げて形成されたものである。
なお、シート材の材質としては、第１実施形態におけるシート材と同様に、ポリエチレン、ポリプロピレン、ポリエチレンテレフタレート、ポリエステル、ポリアミド、ポリ塩化ビニル等の合成樹脂シートの単材又は複合材、或いはこれら合成樹脂シートとアルミフォイル、紙等を張り合わせた複合シート等を使用することができる。
【００４０】
シート材は、例えば、平面視において固定部２３側から開封部２５側にいくにつれて幅が広くなる扇状のシート材であり、その下縁部及び上縁部が、それぞれ本体部１０及び蓋部２０と接着されて連結されている。
なお、シート材の形状としては、扇状以外にも、例えば、平面視において固定部２３側から開封部２５側にいくにつれて幅が広くなる台形、三角形等としても良い。
シート材は、蓋部２０Ａの閉状態においては、折り曲げられて交互に積層された状態で天面部２１Ａ及び本体部１０に挟まれている。
また、蓋部２０Ａの開状態においては、天面部２１Ａ及び本体部１０との間隔に応じた幅に広げられた状態となる。即ち、一対の伸縮部２７，２７の一端部には固定部２３が配されて天面部２１Ａと本体部１０とが固定されているため、一対の伸縮部２７，２７は、固定されていない他端部側が最も大きく広げられ、固定部２３に近づくにつれてその広げられ幅が小さくなる。
【００４１】
また、一対の伸縮部２７，２７は、蓋部２０Ａの閉状態においては、折り曲げられて交互に積層された状態で開口部１１を覆うこととなるため、気密性がより保たれるようになっている。
【００４２】
以上のように、本実施形態のウェットシート包装体１００Ａによれば、一対の伸縮部２７，２７の各々は、内側に向けて凹むように２つに折り曲げられた一枚のシート材を備え、シート材は、蓋部２０の閉状態において折り曲げられて交互に積層され、蓋部２０の開状態において広げられる。
このため、上記第１実施形態と同様の効果が得られるのは勿論のこと、蓋部２０の閉状態においては、開口部１１がシート材にて覆われた状態となるため、内部のウェットシート１が乾燥するのをより効果的に防止することができる。
また、シート材が２つに折り曲げられたものであるため、伸縮部２７の厚さを比較的薄く構成することができ、伸縮部２７の厚みにより開封部２５が再接着し難くなるのを極力防止することができる。
【００４３】
また、本実施形態によれば、シート材は、平面視において固定部２３側から開封部２５側にいくにつれて幅が広くなる。
このため、開封部２５側にいく程大きく開くことが可能であり、蓋部２０を開く動作をより滑らかに行うことができることとなる。
【００４４】
なお、図示は省略するが、本実施形態においても、開封部２５の両側部が、一対の伸縮部２７，２７の両側部より外側に突出している構成とすることもできる。
このように構成した場合、開封部２５を本体部１０に確実に再接着することができ、内部のウェットシート１が乾燥するのをより確実に防止することができる。
【００４５】
以上、本発明に係る実施形態に基づいて具体的に説明したが、本発明は上記実施形態に限定されるものではなく、その要旨を逸脱しない範囲で変更可能である。
例えば、蓋部２０、２０Ａの天面部２１、２１Ａの形状は、開口部１１を覆うことが可能なものであれば、正方形状、円形状、楕円形状等であっても良い。
なお、天面部２１、２１Ａの形状がどのようなものであっても、天面部２１、２１Ａには、当該天面部２１、２１Ａと本体部１０とを連結するコの字状の連結部２２、２２Ａが、開口部１１を囲む位置となるように設けられる。また、連結部２２、２２Ａは、開口部１１を囲むことが可能な位置であれば、天面部２１、２１Ａの縁部に沿って設けられても良いし、天面部２１、２１Ａの縁部よりも中央寄りの所定の位置に設けられても良い。
【符号の説明】
【００４６】
１０  本体部
１１  開口部
２０、２０Ａ  蓋部
２１、２１Ａ  天面部
２２、２２Ａ  連結部
２３  固定部
２４，２４  伸縮部
２７，２７  伸縮部
２５  開封部
２６  摘み部
Ｐ  空間
１  ウェットシート
１００、１００Ａ  ウェットシート包装体
【図１】
2015009869.tif 000003
【図２】
2015009869.tif 000004
【図３】
2015009869.tif 000005
【図４】
2015009869.tif 000006
【図５】
2015009869.tif 000007
【図６】
2015009869.tif 000008
【図７】
2015009869.tif 000009
【図８】
2015009869.tif 000010